(57)【特許請求の範囲】
【請求項１】
第３フィルムと、
前記第３フィルムの下に設けられた第１フィルムと、
前記第３フィルムの下であって、前記第１フィルムの下または上に設けられた第２フィルムと、
前記第３フィルムに設けられ、自己容量方式の電極として、一つ一つが分離した矩形状であって、行方向および列方向にマトリックス配列された複数のタッチ電極と、
前記タッチ電極の電位の変化を検知するタッチチップと、
複数の前記タッチ電極と前記タッチチップとを接続する複数の導線と、を備えるタッチ機能を具えるパネルであって、
前記導線は、一つ一つの前記タッチ電極と接続され、かつ、列方向に平行に引き出されており、
行方向に沿って前記導線に順番付けしたとき、偶数本目の前記導線は前記第１フィルムに設けられ、奇数本目の前記導線は前記第２フィルムに設けられており、
列方向で隣り合う二つの前記タッチ電極をみたとき、一方の前記タッチ電極は前記偶数本目の前記導線に接続され、他方の前記タッチ電極は前記奇数本目の前記導線に接続され、
各前記タッチ電極の直下には貫通孔が形成されていて、この貫通孔を介してそれぞれ対応する前記導線に接続されている
ことを特徴とするタッチ機能を具えるパネル。
【請求項２】
請求項１に記載のタッチ機能を具えるパネルにおいて、
さらに、アレイ基板を備え、前記タッチ電極は、前記アレイ基板の共通電極層から生成される
ことを特徴とするタッチ機能を具えるパネル。
【請求項３】
請求項１または請求項２に記載のタッチ機能を具えるパネルと、
画素電極と、薄膜トランジスタと、前記第１フィルムおよび前記第２フィルムの下に設けられた第４
フィルムと、を備え、
前記画素電極は、前記第３フィルムの表面に設けられ、前記薄膜トランジスタは、前記第４フィルム内に設けられ、前記薄膜トランジスタは、前記第３フィルム、前記第１フィルムおよび前記第２フィルムを貫く貫通孔によって前記画素電極と電気的に接続されている
ことを特徴とするタッチ機能を具えるパネルを備えるディスプレイ。
【発明の詳細な説明】
【技術分野】
【０００１】
本発明は、ディスプレイとタッチ技術に関し、特にディスプレイとタッチ機能を具えるパネルに関する。
【背景技術】
【０００２】
目下、タッチパネルの作動原理は、タッチチップを金属回路によってタッチ電極と接続することで、タッチ電極に対して周期的に充放電を行い、手でタッチ電極に触り画素コンデンサの変化が起こった際、電圧と電流と電荷の変化を検出することにより、導線を通じてプロセッサチップにフィードバックさせる。それによりタッチ位置座標をとらえる。タッチ電極と駆動制御チップとの間の共通機能である送り配線は、通常、同フィルムの金属送り配線となり、露光技術が作られることによって、従来の露光技術は、プロセス中において、各種の異物粒子や静電気等が原因で回路がショートし、それにより、タッチ電極は故障する。特別なのは、回路密集の領域において、この故障の確率を増加することができる。
【発明の概要】
【発明が解決しようとする課題】
【０００３】
従って、以上の技術問題を解決する為に、ディスプレイとタッチ機能を具えるパネルを提供する必要がある。
【０００４】
本発明は、タッチ電極の導線のショートの確率を下げ、タッチ電極が故障する確率を下げることができるディスプレイとタッチ機能を具えるパネルを提供することを目的とする。
【課題を解決するための手段】
【０００５】
以上の技術問題を解決する為、本発明が採用する技術案は、タッチ機能を具えるパネルを提供する。その内、前記パネルは、複数のフィルムと、複数のフィルム内に設けられた複数のタッチ電極と、タッチ電極に一つ一つ対応して設けられた複数の導線と、タッチチップと、からなり、前記導線は、前記タッチ電極を、前記タッチチップに電気的に接続させる。その内、前記タッチ電極の一部分に接続される複数の導線は、複数のフィルム内の第一フィルムに設けられ、タッチ電極の他部分に接続される複数の導線は、複数のフィルム内の第二フィルムに設けられる。前記タッチ電極は、前記複数のフィルム内の第三フィルムに設けられ、前記複数の導線は、順番に平行に配列され、その内、隣接する二本の前記導線は、異なるフィルムに配置され、前記導線は、貫通孔によって、対応する前記タッチ電極と電気的に接続される。
【０００６】
以上の技術問題を解決する為、本発明が採用する他の技術案は、タッチ機能を具えるパネルを提供し、前記パネルは、複数のフィルムと、複数のフィルム内に設けられた複数のタッチ電極と、タッチ電極に一つ一つ対応して設けられた複数の導線と、タッチチップと、からなり、導線は、タッチ電極をタッチチップに電気的に接続させる。その内、タッチ電極の一部分に接続される複数の導線は、複数のフィルム内の第一フィルムに設けられ、タッチ電極の他部分に接続される複数の導線は、複数のフィルム内の第二フィルムに設けられる。
【０００７】
そのうち、タッチ電極は、複数のフィルム内の第三フィルムに設けられる。
【０００８】
そのうち、複数の導線は順番に平行に配列され、そのうち隣接する２本の導線は、異なるフィルムに配置される。
【０００９】
そのうち、導線は貫通孔によって、対応するタッチ電極と電気的に接続される。
【００１０】
そのうち、パネルは、アレイ基板を備え、タッチ電極は、アレイ基板の共通電極層から生成される。
【００１１】
そのうち、タッチ電極は、マトリックス形式を呈し分布される。
【００１２】
そのうち、パネルはさらに、画素電極と薄膜トランジスタからなり、画素電極は、第三フィルムの表面に設けられ、薄膜トランジスタは、複数のフィルム内の第四フィルムに設けられ、薄膜トランジスタは、貫通孔によって画素電極と電気的に接続される。
【００１３】
そのうち、複数のフィルムは、アレイ基板に設けられる。
【００１４】
そのうち、第四フィルムはアレイ基板に設けられ、第二フィルムは第四フィルムに設けられ、第一フィルムは第二フィルムに設けられ、第三フィルムは第一フィルムに設けられ、画素電極は、第三フィルムにおける第一フィルムから離れた表面に設けられる。
【００１５】
上記の技術問題を解決するため、本発明が採用する技術案は、ディスプレイを提供し、ディスプレイは、タッチ機能を具えるパネルを備え、パネルは複数のフィルムと、複数のフィルム内に設けられた複数のタッチ電極と、タッチ電極に一つ一つ対応して設けられた複数の導線と、タッチチップと、からなる。導線は、タッチ電極をタッチチップに電気的に接続され、その内、タッチ電極の一部に接続される複数の導線は、複数のフィルム内の第一フィルムに設けられ、タッチ電極の他部分に接続される複数の導線は、複数のフィルム内の第二フィルムに設けられる。
【００１６】
そのうち、タッチ電極は、複数のフィルム内の第三フィルムに配置される。
【００１７】
そのうち、複数の導線は、順番に平行に配列され、その内、隣接する２本の導線は異なるフィルムに配置される。
【００１８】
そのうち、導線は、貫通孔によって対応するタッチ電極と電気的に接続される。
【００１９】
そのうち、パネルは、アレイ基板を備え、タッチ電極は、アレイ基板の共通電極層から生成される。
【００２０】
そのうち、タッチ電極は、マトリックス形式を呈し分布される。
【００２１】
そのうち、パネルはさらに画素電極と薄膜トランジスタからなり、画素電極は第三フィルムの表面に設けられ、薄膜トランジスタは複数のフィルム内の第四フィルムに設けられ、薄膜トランジスタは、貫通孔によって画素電極と電気的に接続される。
【００２２】
そのうち、複数のフィルムは、アレイ基板に設けられる。
【００２３】
そのうち、第四フィルムは、アレイ基板に設けられ、第二フィルムは第四フィルムに設けられ、第一フィルムは第二フィルムに設けられ、第三フィルムは第一フィルムに設けられ、画素電極は第三フィルムにおける第一フィルムから離れた表面に設けられる。本発明の有益な効果は以下の通りである。従来の技術の状況と区別するために、本発明は、タッチ電極とタッチチップを接続する複数の導線を異なるフィルム内に設けることにより、導線がフィルム内に密集して配置しなくてすむ。したがって、導線同士が接触するリスクを下げ、ショートの発生を防ぎ、タッチ電極が故障する確率を下げることができる。
【図面の簡単な説明】
【００２４】
【図１】本発明のタッチ機能を具えるパネルの構造を示した俯瞰図である。
【図２】本発明の実施例１のタッチ機能を具えるパネルの一部の断面図である。
【図３】本発明の実施例２のタッチ機能を具えるパネルの一部の断面図である。
【発明を実施するための形態】
【００２５】
以下では、図と実施例を用いて、本発明について詳細な説明を行う。
【００２６】
（実施例１）
図１と図２を参照する。図１は、本発明のタッチ機能を具えるパネルの構造の俯瞰図である。図２は、本発明の実施例１のタッチ機能を具えるパネルの一部の断面図である。本実施例において、パネルは、複数のフィルム（図未表示）と、複数のフィルム内に設けられた複数のタッチ電極１３１と、タッチ電極１３１に一つ一つ対応して設けられた複数の導線１１１或いは１２１と、タッチチップ２０と、からなる。導線１１１或いは１２１は、タッチ電極１３１をタッチチップ２０に電気的に接続させる。その内、タッチ電極１３１の一部分に接続される複数の導線１１１は、複数のフィルム内の第一フィルム１１に設けられ、タッチ電極１３１の他部分に接続される複数の導線１２１は、複数のフィルム内の第二フィルム１２に設けられる。
【００２７】
タッチ電極１３１は、複数のフィルム内の第三フィルム１３に設けられるのが好ましい。その他の実施例においては、タッチ電極１３１は、導線１１１或いは１２１の一部分と同じフィルムにも配置することができる。それに対応するように、導線１１１或いは１２１の他部分は、タッチ電極１３１と異なるフィルムに配置される。
【００２８】
複数の導線１１１或いは１２１は、順番に平行に配列され、その内、隣接する２本の導線１１１と１２１は、異なるフィルムに配置されるのが好ましい。複数の導線１１１或いは１２１は順番に平行に配列する、すなわち、パネルの長さや幅の方向に沿って、順番に平行に配列し、且つ奇数の導線と偶数の導線が異なるフィルムに配置されるように順番に並べる。当然、その他の実施例においては、その他の方式で各導線が所在するフィルムを分配することもできる。
【００２９】
導線１１１或いは１２１は、貫通孔１５によって、対応するタッチ電極１３１と電気的に接続されることが好ましい。導線１１１或いは１２１は、貫通孔によって、対応するタッチ電極１３１と接続される。（例えば、導線１１１の他端が貫通孔によって、タッチ電極１３１に接続され、前記導線１１１の他端がタッチチップ２０に接続されることにより、タッチ電極１３１とタッチチップ２０の接続が実現できる。タッチチップ２０は、タッチ電極１３１の電圧や電流、電化の変化を検出することにより、導線１１１或いは１２１を通じてタッチチップ２０にフィードバックさせる。それにより、タッチ位置座標をとらえる。）
【００３０】
第一フィルム１１は、第二フィルム１２上に配置され、第三フィルム１３は、第一フィルム１１上に配置されるのが好ましい。
【００３１】
タッチ電極１３１は、マトリックス形式を呈し分配されるのが好ましい。図１を参照する。タッチ電極１３１は、パネル上にマトリックス形式が分配される。タッチ電極１３１が分布する領域は、有効のタッチ領域また、有効タッチ領域周辺の領域は、非有効のタッチ領域となり、タッチチップ２０は、非有効タッチ領域に設けられるのが好ましい。特に注意すべき点は、その他の実施例において、導線１１１或いは１２１が、非有効タッチ領域だけを通る際、タッチ電極１３１の一部分に接続される複数の導線１１１は、複数のフィルム内の第一フィルム１１に設けられ、タッチ電極１３１の他部分に接続される複数の導線１２１は、複数のフィルム内の第二フィルム１２に設けられる方式を採用する。また、有効タッチ地域だけを通る際、全ての導線１１１或いは１２１は、同一フィルムに設けられる。有効タッチ領域のタッチ電極１３１がもし故障した場合でも、故障したタッチ電極１３１の位置を検出し、それと接続された導線１１１或いは１２１を簡単に修復することができる。したがって、有効タッチ領域では、全ての導線を一層に設け、生産工程のプロセスを簡素化することができる。また、非有効タッチ領域では、導線がショートするとタッチ電極１３１が故障した位置を検出するのが難しいため、上述方式を採用し、一部の導線を異なるフィルムの設ける必要がある。
【００３２】
第一フィルム１１と、第二フィルム１２と、第三フィルム１３は、いずれも絶縁層であるのが好ましい。
【００３３】
本実施例のタッチ機能を備えるパネルはさらに、その他従来の表示パネル或いはタッチパネル、或いはタッチ表示一体のパネル内の部品を備えるのが好ましいが、ここでは詳細な説明を繰り返さない。表示パネルは、ＯＬＥＤ表示パネルと、ＴＦＴ液晶パネルと、ＩＰＳ液晶パネル等に限定されない。タッチパネルは、セルフコンデンサ或いは相互コンデンサに限定されず、タッチ表示一体のパネルは、ＯＧＳ全張合わせ、ＩＮ−ＣＥＬＬ或いはＯＮ−ＣＥＬＬ等の融合技術を採用したパネルに限定されない。
【００３４】
（実施例２）
図３を参照する。図３は、本発明の実施例２のタッチ機能を具えるパネルの一部の断面図である。第一実施例と比較すると、本実施例において、タッチ機能を具えるパネルはさらに、アレイ基板１０を備え、タッチ電極１３１は、アレイ基板１０の共通電極層１３から生成される。タッチ機能を具えるパネルはさらに、画素電極１６と薄膜トランジスタ１４１を備え、画素電極１６は、第三フィルム１３の表面に設けられ、薄膜トランジスタ１４１は、複数のフィルム内の第四フィルム１４に設けられ、薄膜トランジスタ１４１は、貫通孔１７によって、画素電極１６と電気的に接続され、複数のフィルムは、アレイ基板１０に設けられる。
【００３５】
第四フィルム層１４はアレイ基板１０に設けられ、第二フィルム１２は第四フィルム１４に設けられ、第一フィルム１１は第二フィルム１２に設けられ、第三フィルム１３は第一フィルム１１に設けられ、画素電極１６は第三フィルム１３における第一フィルム１１から離れた表面に設けられるのが好ましい。
【００３６】
第一フィルム１１と、第二フィルム１２と、第三フィルム１３と、第四フィルム１４はいずれも、絶縁層であるのが好ましい。
【００３７】
従来技術と区別するために、本発明は、タッチ電極とタッチチップを接続する複数の導線を異なるフィルム内に設けることによって、導線が一つのフィルム内に密集して配置しなくてすむ。したがって、導線同士が接触するリスクを下げ、ショートの発生を防ぎ、タッチ電極が故障する確率を下げることができる。
【００３８】
以上前記の内容は、本発明の実施例に過ぎず、本発明の特許請求の範囲を制限するものではない。本発明の明細書と図の内容を用いて行った同様の効果をもつ構造や同様の効果をもつ工程の変更（或いは、間接的にその他関係のある技術領域に運用したもの）は、同様にいずれも、本発明の特許の保護範囲に含まれる。
【符号の説明】
【００３９】
１０    アレイ基板
１１    第一フィルム
１２    第二フィルム
１３    第三フィルム
１４    第四フィルム
１５    貫通孔
１６    画素電極
１７    貫通孔
１１１  一部分に接続される複数の導線
１２１  他部分に接続される複数の導線
１３１  タッチ電極
１４１  薄膜トランジスタ
２０    タッチチップ
【図１】
0006460583.tif 000002
【図２】
0006460583.tif 000003
【図３】
0006460583.tif 000004